(57)【要約】【課題】  球清掃装置を遊技機の球排出口に着脱可能にする。【課題手段】  球清掃装置５１は、遊技球Ｂを受ける球タンク２１を備えた遊技機１における球タンクの球排出口２３に着脱可能になっており、枠体５２と、枠体５２に回転可能に設けられた回転ブラシ５３，５４と、枠体５２に設けられて回転ブラシ５３，５４を回転させる駆動手段５５と、枠体５２を球排出口２３に着脱可能に保持する保持手段５７，５８，５９と、を備え、球排出口２３に装着されたとき、球排出口２３に回転ブラシ５３，５４が位置するようになっている。【選択図】      図４
2005304848.tif 000002
【特許請求の範囲】
【請求項１】
遊技球を貯留する球タンクを備えた遊技機における前記球タンクの球排出口に着脱可能な球清掃装置であって、
枠体と、  
前記枠体に回転可能に設けられた回転ブラシと、
前記枠体に設けられて前記回転ブラシを回転させる駆動手段と、
前記枠体を前記球排出口に着脱可能に保持する保持手段と、を備え、
前記球排出口に装着されたとき、前記球排出口に前記回転ブラシが位置していることを特徴とする球清掃装置。
【請求項２】
前記枠体に対して、前記回転ブラシを着脱可能に支持する着脱支持手段を備えたことを特徴とする請求項１に記載の球清掃装置。
【請求項３】
前記回転ブラシが、導電性ブラシでありアースされていることを特徴とする請求項１又は２に記載の球清掃装置。
【請求項４】
前記回転ブラシが少なくとも１対平行に配設され、前記１対の回転ブラシの回転方向が前記回転ブラシ同士の間を通過する遊技球の落下に抗する方向に設定されていることを特徴とする請求項１乃至３のいずれか１項に記載の球清掃装置。
【請求項５】
枠体と、
前記枠体に回転可能に設けられた回転ブラシと、
前記枠体に設けられて前記回転ブラシを回転させる駆動手段と、
前記駆動手段の上部を覆う天板と、を有した球清掃装置と、
遊技球を排出する球排出口を形成されて前記球清掃装置を着脱可能に支持する支持手段を有して前記遊技球を受ける球タンクと、を備え、
前記天板が前記球タンクの底板の一部を形成し、前記回転ブラシが前記球排出口に対向することを特徴とする遊技機。
【請求項６】
前記枠体に対して、前記回転ブラシを着脱可能に支持する着脱支持手段を備えたことを特徴とする請求項５に記載の遊技機。
【請求項７】
前記回転ブラシが、導電性ブラシでありアースされていることを特徴とする請求項５又は６に記載の遊技機。
【請求項８】
前記回転ブラシが少なくとも１対平行に配設され、前記１対の回転ブラシの回転方向が前記回転ブラシ同士の間を通過する遊技球の落下に抗する方向に設定されていることを特徴とする請求項５乃至７のいずれか１項に記載の遊技機。
【発明の詳細な説明】
【技術分野】
【０００１】
本発明は、遊技球の汚れや塵埃を清掃する球清掃装置、特に、既成の遊技機の球タンクに対して着脱可能であって、遊技球の汚れや塵埃を落す回転ブラシを交換することのできる球清掃装置と、球清掃装置の一部分が球タンクの底板の一部分を形成するように球清掃装置が組み込まれた遊技機とに関する。
【背景技術】
【０００２】
従来、遊技機（例えば、パチンコ機）における遊技球の流れは次のようになっている。
【０００３】
遊技球は、遊技島毎に設置してある球貯留装置から予め遊技機の背面に設けられた球タンクに送り込まれて貯留されている。遊技者が、遊技機の脇に設置してある球貸し機にプリペイカード等を挿入し、球貸し操作をすることにより、遊技球は、所定数だけ、遊技機の前面に設けられた球皿に供給される。その後、遊技球は、遊技者が発射ハンドルを操作することによって遊技盤の遊技領域に向けて発射され、遊技領域上を転動落下する。遊技盤上には、各種の入賞具を設けてあり、遊技球は、いずれかの入賞具に入賞するか、あるいは、遊技盤の最下部に設けたアウト口に入る。
【０００４】
入賞具に入賞した遊技球は、遊技機内の処理経路を流下して、遊技島に設けられている回収通路を通って回収される。一方、アウト口に入った遊技球も同様に、遊技島の回収通路を通って回収される。
【０００５】
また、上記賞球として球皿に多数貯留された遊技球は、遊技終了時などには景品と交換されることがある。遊技球を景品と交換するとき、遊技球は、球計数機に流入させられて数をカウントされ、上記の遊技島に回収されるようになっている。
【０００６】
このように、遊技球は、遊技機や遊技島を循環するようになっているため、静電気の作用と相俟って、汚れたり、塵埃が付着したりすることが多かった。また、受け皿に貯留されている遊技球は、遊技者が遊技中に触ることがあり、手垢も付くことがあった。さらに、たばこの灰やこぼれたジュースなどが付着して汚れることもあった。
【０００７】
このような、遊技球は遊技島に回収されてから、遊技島に設置されている研磨清掃装置によって清掃されている。しかし、遊技球は、汚れや塵埃がひどい場合、汚れや塵埃が完全に落ちないで、多少付着したままで、球タンクに供給されることがあった。
【０００８】
そこで、遊技球の塵埃、汚れ等を回転ブラシによって落す球清掃装置が開発されている（特許文献１参照）。
【０００９】
【特許文献１】特開２００２−１１３２１１号公報
【発明の開示】
【発明が解決しようとする課題】
【００１０】
しかし、従来の球清掃装置は、遊技機に対して着脱できるようになっていないため、メンテナンスが困難であった。特に、回転ブラシの交換が困難であり、ホールには、何台もの遊技機を設置しているため、全部の遊技機の回転ブラシを交換すると、多大な時間を要するという問題があった。
【００１１】
また、従来の球清掃装置は、遊技機から取り外すことができないので、遊技球がほとんど汚れていないときでも作動していなければならず遊技球の流れを阻害することがあった。また、無駄な電力を消費していた。１台当たりの消費電力を少なくしても、ホール全体の遊技機の総合計の消費電力が大きくなるという問題があった。
【００１２】
以上の問題に鑑みて本発明は、遊技機の球タンクの球排出口に着脱可能な球清掃装置を提供することを目的とする。
【００１３】
また、本発明は、着脱可能な球清掃装置を球タンクに備えた遊技機を提供することを目的としている。
【課題を解決するための手段】
【００１４】
請求項１に係る本発明は、遊技球（Ｂ）を受ける球タンク（２１，２２１）を備えた遊技機（１）における前記球タンクの球排出口（２３）に着脱可能な球清掃装置（５１，２５１）であって、枠体（５２，２５２）と、前記枠体に回転可能に設けられた回転ブラシ（５３，５４，２５３，２５４）と、前記枠体に設けられて前記回転ブラシを回転させる駆動手段（５５）と、前記枠体（５２，２５２）を前記球排出口（２３）に着脱可能に保持する保持手段（５７，５８，５９，２５９，２５７）と、を備え、前記球排出口に装着されたとき、前記球排出口に前記回転ブラシ（５３，５４，２５３，２５４）が位置していることを特徴とする球清掃装置（５１，２５１）である。
【００１５】
請求項２に係る本発明は、前記枠体（５２，２５２）に対して、前記回転ブラシ（５３，５４，２５３，２５４）を着脱可能に支持する着脱支持手段（８１，８２）を備えたことを特徴とする請求項１に記載の球清掃装置（５１，２５１）である。
【００１６】
請求項３に係る本発明は、前記回転ブラシ（５３，５４，２５３，２５４）が、導電性ブラシでありアースされていることを特徴とする請求項１又は２に記載の球清掃装置（５１，２５１）である。
【００１７】
請求項４に係る本発明は、前記回転ブラシ（５３，５４，２５３，２５４）が少なくとも１対平行に配設され、前記１対の回転ブラシ（５３，５４，２５３，２５４）の回転方向が前記回転ブラシ（５３，５４，２５３，２５４）同士の間を通過する遊技球の落下に抗する方向に設定されていることを特徴とする請求項１乃至３のいずれか１項に記載の球清掃装置（５１，２５１）である。
【００１８】
請求項５に係る本発明は、枠体（３５２）と、前記枠体（３５２）に回転可能に設けられた回転ブラシ（３５３，３５４）と、前記枠体（３５２）に設けられて前記回転ブラシ（３５３，３５４）を回転させる駆動手段（５５）と、前記駆動手段（５５）の上部を覆う天板（３５７）と、を有した球清掃装置（３５１）と、遊技球（Ｂ）を排出する球排出口（３２３）を形成されて前記球清掃装置（３５１）を着脱可能に支持する支持手段（３９８）を有して前記遊技球を受ける球タンク（３２１）と、を備え、前記天板（３５７）が前記球タンク（３２１）の底板（３９５）の一部を形成し、前記回転ブラシ（３５３，３５４）が前記球排出口（３２３）に対向することを特徴とする遊技機である。
【００１９】
請求項６に係る本発明は、前記枠体（３５２）に対して、前記回転ブラシ（３５３，３５４）を着脱可能に支持する着脱支持手段（３８１，３８２）を備えたことを特徴とする請求項５に記載の遊技機である。
【００２０】
請求項７に係る本発明は、前記回転ブラシ（３５３，３５４）が、導電性ブラシでありアースされていることを特徴とする請求項５又は６に記載の遊技機である。
【００２１】
請求項８に係る本発明は、前記回転ブラシ（３５３，３５４）が少なくとも１対平行に配設され、前記１対の回転ブラシ（３５３，３５４）の回転方向が前記回転ブラシ（３５３，３５４）同士の間を通過する遊技球の落下に抗する方向に設定されていることを特徴とする請求項５乃至７のいずれか１項に記載の遊技機である。
【００２２】
なお、上記カッコ内の符号は、図面と対照するためのものであるが、実施の形態との対応を容易にして、発明の理解を助ける便宜的なものであり、本願特許請求の範囲の記載に何ら影響を及ぼすものではない。
【発明の効果】
【００２３】
請求項１に係る球清掃装置は、ユニット化されて、既成の遊技機における球タンクの球排出口に対して着脱可能になっているので、既成の球タンクの形状を変える必要がなく、必要に応じて簡単に遊技球を清掃することができる。
【００２４】
また、本球清掃装置は、球排出口に着脱可能であるので、メンテナンスが容易になる。とくに、回転ブラシが汚れた際のメンテナンス時や、回転ブラシに付着した塵埃等を除去する際には好適である。
【００２５】
さらに、本球清掃装置は、遊技球が汚れているときのみ、球排出口に装着することができるので、遊技機が無駄な電力を消費する必要がなく、パチンコホール側としの経費節減になる。
【００２６】
請求項２に記載の球清掃装置は、回転ブラシを着脱可能に支持する着脱支持手段を備えているので、必要時に回転ブラシを簡単に外して、回転ブラシの汚れや、塵埃等を簡単に除去することができる。
【００２７】
請求項３に記載の球清掃装置は、回転ブラシが、導電性ブラシでありアースされているので、遊技球を清掃しながらその遊技球に帯電されている静電気を除電することができて、遊技球が遊技機内を循環しながらノイズを発して各制御装置に悪影響を与えて遊技機に誤作動を引き起こさせることを防止することできる。
【００２８】
請求項４に記載の球清掃装置は、回転ブラシが少なくとも１対平行に配設され、１対の回転ブラシの回転方向が回転ブラシ同士の間を通過する遊技球の自重による落下に抗する方向に設定されているので、落下に準ずる方向の設定に比して、遊技球が回転ブラシに接触する時間が長くなり、遊技球の清掃を確実に行うことができる。
【００２９】
請求項５に記載の遊技機は、駆動手段の上部を覆う天板が球タンクの底板の一部を形成しているので、遊技球の流れを損なうようなことがない。
【００３０】
請求項６に記載の遊技機は、球清掃装置が、枠体に対して、回転ブラシを着脱可能に支持する着脱支持手段を備えているので、回転ブラシを取り外して回転ブラシの汚れや、回転ブラシに付着した塵埃等を簡単に除去することができる。
【００３１】
請求項７に記載の遊技機は、回転ブラシが、導電性ブラシでありアースされているので、遊技球を清掃しながらその遊技球に帯電された静電気を除電することができて、遊技球が遊技機内を循環しながらノイズを発して各制御装置に悪影響を与えて遊技機に誤作動を引き起こさせることを防止することできる。
【００３２】
請求項８に記載の遊技機は、回転ブラシが少なくとも１対平行に配設され、１対の回転ブラシの回転方向が回転ブラシ同士の間を通過する遊技球の自重による落下に抗する方向に設定されているので、落下に準ずる方向の設定に比して、遊技球が回転ブラシに接触する時間が長くなり、遊技球の清掃を確実に行うことができる。
【発明を実施するための最良の形態】
【００３３】
以下、本発明の好ましい実施形態について図面を参照しながら説明する。本発明に係る球清掃装置を備えた遊技機の代表例としてパチンコ機１を図１および図２に示しており、まず、これらの図面を参照しながらパチンコ機１の全体構成について要約説明する。ここで、図１はパチンコ機１の正面図、図２はパチンコ機１の背面図である。
【００３４】
パチンコ機１は外郭方形枠サイズに構成されて縦向きの固定保持枠をなす外枠２の開口前面に、これに合わせた方形枠サイズに構成される開閉搭載用の前枠５が互いの正面左側上下に配設されたヒンジ部材１０３ａ，１０３ｂで横開き開閉および着脱が可能に取り付けられて構成されている。前枠５は、正面右側に設けられた施錠装置１０４を利用して常には外枠２と係合された閉鎖状態に保持されている。
【００３５】
前枠５の前面上部側には、透明アクリル板やガラス板６を有したガラス扉３が左端部のヒンジ１０７a、１０７ｂを介して横開き開閉および着脱が自在に取り付けられ、施錠装置１０４により常には前枠５の前面を覆う閉止状態に保持されている。ガラス扉３の背後に位置する前枠上部には遊技盤４を着脱自在に収容する収容部が設けられており、この収容部に立設姿勢で係止保持された遊技盤４がガラス扉３を通して視認されるようになっている。遊技盤４は、所定板厚の積層合板の表面にセルを貼り付けてルーター加工した化粧板を基板とし、円弧状のレール１０２に囲まれて略円形状の遊技領域１０１が形成されている。遊技領域１０１には、多数本の遊技釘や風車とともに各種の入賞具１０３、遊技の展開状況に応じた図柄を表示させる画像表示装置１０５、ランプ飾り等の遊技構成部品が取り付けられ、下端部にアウト口１０６が設けられている。
【００３６】
前枠５の前面における上記ガラス扉３の下側には、球皿９が左側のヒンジ１０７ｂ、１０７ｃにより横開きおよび着脱可能に取り付けられ、常に、ガラス扉３の下側において前枠５の前面を覆った状態で係止保持されている。この球皿は、前面に突出して形成され、遊技中に払い出される遊技球を受容して貯留する皿部が設けられている。なお、詳細に図示しないが、球皿９に前面側が覆われた前枠５の下部領域には遊技補助盤と称される補助機構部が形成されており、この遊技補助盤の各部に、打球発射装置や、スピーカなどが設けられている。
【００３７】
前枠５の裏面側には、中央に前後連通する窓口１５０を有して前枠５よりもやや小型の方形枠状に形成された裏セット盤１０８が、前枠５の裏面に設けられた複数のレバーＬ，Ｌ・・を利用して着脱可能にセット保持されている。裏セット盤１０８の各部には、遊技島に設置してある球貯留装置からの遊技球を貯留する球タンクとしての球タンク２１と、球タンク２１から供給された遊技球を落下移動させつつ整列させるタンクレール２２、球圧を軽減して遊技球を下方に流下させる整列待機通路１３３、遊技盤４における入賞状態に基づいてタンクレール２２を通って球タンク２１から供給される遊技球を賞球として球皿９に払い出す球払出装置１３４、球払出装置１３４から払い出された賞球を球皿９の皿部に導く賞球通路１３５、各種制御装置、電子部品に電力を供給する電源ユニット２８、パチンコ機１の作動を統括的に制御する主制御装置２７、画像表示装置１０５の裏側に位置して画像表示、効果音等の演出、効果ランプ等の表示制御を行うサブ制御装置２６、球払出装置を制御する払出制御装置２９、発射強度や発射タイミングを制御する発射制御装置３０等が図のように配設されている。なお、図示していないが、遊技中において遊技盤４の入賞具１０３に入賞することなく落下してアウト口１０６に入り込んだ遊技球をパチンコ機１の背面側に導くアウト球通路が設けられている。このアウト球通路に導かれたアウト球はパチンコ機の背面に開口したアウト球排出口１４４から球回収空間に排出され、遊技島に設けられた回収通路上を転がって、回収される。
【００３８】
パチンコ機１は、前枠５、ガラス扉３および球皿９がともに閉止され施錠された状態で遊技に供され、球皿９に遊技球を貯留させて操作ハンドル１７を回動操作することにより遊技が開始される。操作ハンドル１７が回動操作されると、球皿９に貯留された遊技球が打球発射装置により１球ずつ遊技盤４の遊技領域１０１に打ち出され、以降パチンコゲームが展開される。
【００３９】
（第１実施形態の球清掃装置）
以上のように概要構成されるパチンコ機１には、球清掃装置５１を設けてある。以下、球清掃装置の第１実施形態について図３乃至図１０を参照しながら説明する。ここで、図３は、図１、図２に示すパチンコ機の平面図である。図４は、第１実施形態の球清掃装置をパチンコ機の球タンクの球排出口に装備した状態の断面図である。図５は、第１実施形態の球清掃装置を球タンクの球排出口に着脱するときの動作説明用の断面図である。図６は、第１実施形態の球清掃装置の平面図である。（ａ）は概略平面図である。（ｂ）は爪の斜視図である。図７は、１対の回転ブラシが遊技球を清掃している状態の図である。図８は、回転ブラシを回転させる歯車列と、回転ブラシを枠体としてのフレームに対して着脱可能にする着脱支持手段である支持機構とを示す概略図である。図９は、支持機構の概略斜視図である。図１０は、第１実施形態の球清掃装置の変形例の図である。
【００４０】
第１実施形態の球清掃装置５１は、既成のパチンコ機１における球タンク２１の球排出口２３に着脱可能になっている。球清掃装置５１は、枠体としてのフレーム５２と、フレーム５２に回転可能に設けられた回転ブラシ５３，５４と、フレーム５２に設けられて回転ブラシ５３，５４を回転させる駆動手段であるモータ５５及び歯車列５６と、フレーム５２を球排出口２３に着脱可能に保持する保持手段としての１対の係合爪５７，５８及び抜け止め片５９等を備えている。球清掃装置５１は、球排出口２３に装着されたとき、球排出口２３に回転ブラシ５３，５４が位置するようになっている。
【００４１】
フレーム５２は、前板６７と、後板６８と、中板６９と、左側板８３と、右側板７０とによって構成されている。前板６７と後板６８には、図５、図６に示すように、１対の係合爪５７，５８が、フレーム５２の左側板６９から離れる方向に向けて突設してある。左側板６９には、上方に延長して抜け止め片５９と、図９に示すような、回転ブラシ５３の回転軸６１の端部に形成してある後述する細径部８４が挿入される支持孔８５とを形成してある。中板８３には、回転ブラシ５３の回転軸６１を支持するＶ字状の受け部８６を形成してある切り込み８７と、回転軸６１を移動を規制する抜け止め線８９を係止する被係止部９０とを形成してある。
【００４２】
回転ブラシ５３、５４は、回転軸６１，６２と、樹脂製の毛７１、７２とから構成され、フレーム５２に対して回転自在に設けられている。回転軸６１、６２には、各々従動歯車６５，６６を設けてあり、かつ回転軸６１の端部に回転軸よりも細く形成してある細径部８４と、溝８８とを形成してある。
【００４３】
モータ５５は、フレーム５２に設けられている。図８に示すように、出力軸６３には、駆動歯車６４が設けられている。そして、前述した従動歯車６５，６６と、モータ５５に取り付けられる駆動歯車６４とにより歯車列５６を構成し、この歯車列５６とモータ５５とで駆動手段を構成している。
【００４４】
次に、球清掃装置５１の組み立て順序を説明する。駆動歯車６４を取り付けたモータ５５を右側板７０に組み付け、回転軸６１の端部に回転軸よりも細く形成してある細径部８４を左側板の支持孔８５に挿入する。そして、中板８３に形成された切り込み８７の受け部８６に回転軸６１を挿入する。このとき、回転軸６１の従属歯車６５、６６と駆動歯車６４が係合するように歯車列を組み付ける。回転軸６１が受け部８６に支持される部分より右側板７０側の回転軸外周には、溝８８を形成してあり、弾性を備えた、鋼線、あるいはピアノ線である抜け止め線８９を掛けて回転軸６１の移動を規制する。抜け止め線８９の両端は、中板８３に切り起こして形成した被係止９０に受け止められる。これらの１対の被係片９０は、回転軸６１によって抜け止め線８９を撓ませる位置に設けてある。
【００４５】
次に、球清掃装置５１を、球排出口２３に装着する順序を説明する。このような構成において、図８，図９に基づいて、回転ブラシ５３，５４をフレーム５２に着脱交換できるようにした着脱支持手段としての支持機構８１，８２を簡潔に説明する。なお、両方の支持機構８１，８２とも、同一の構成であるので、同一部分に同一符号を付して、一方の支持機構８１のみ説明し、他方の支持機構８２の説明は省略する。
【００４６】
回転軸６１は、一端の細径部８４が支持孔８５に支持され、中間部が受け部８６に支持されて回転するようになっている。また、回転軸６１は、抜け止め線８９が溝８８に係合していることによって、回転方向以外の移動が規制されている。回転軸６１は、Ｖ字状の受け部８６と、抜け止め線８９との３点に接触して回転するため、ほとんど回転抵抗が生じることがなく、円滑に回転するようになっている。回転ブラシ５３，５４は、抜け止め線８９を外すことによって、容易に交換することができる。このように、支持手段８１、８２が構成されている。
【００４７】
このような構成の球清掃装置５１を、球タンク２１の球排出口２３に装着するには、図５に示すように、フレーム５２の右側板７０の部分からから先に球排出口２３に挿入する。その後、１対の係合爪５７，５８を球排出口２３の一縁部に引っ掛けるとともに、抜け止め片５９を球タンク２１の左側板２４に当接させる。球清掃装置５１は、図４において左側が落下しようとしても、受け止め片５９が球タンク２１の左側板２４に受け止められ、かつ、係合片５７，５８の段部５７ａ，５８ａが球排出口２３に当接するので、球排出口２３からの脱落が阻止される。これによって、球清掃装置５１は、球排出口２３に装着された状態となる。
【００４８】
球清掃装置５１が球排出口２３に装着された後、パチンコ遊技が開始されて、島に設けてある球貯留装置から球タンク２１に遊技球が送り込まれてくると、主制御装置２７の制御によって、モータ５５が始動する。モータ５５は、歯車列５６を介して、１対の回転ブラシ５３，５４を回転させる。すると、図７に示すように、遊技球Ｂが１対の回転ブラシ５３，５４間、一方の回転ブラシ５３と前板６７との間、及び他方の回転ブラシ５４と後板６８との間から自重によって落下する。このとき、遊技球は、回転ブラシ５３，５４に接触するため、塵埃、汚れ、手垢等が除去されて清浄になる。除去された塵埃等は、落下して、球タンク２１の下方に設けてあるタンクレール２２に形成した複数のスリット３１を通過し、裏セット盤１０８の窓口１５０の上側に形成された塵埃受け庇２００上に落下する。塵埃受け庇２００上の塵埃等はタオル等によって清掃する。１対の回転ブラシ５３，５４の回転方向は、図７に示すように、回転ブラシ同士の間を通過する遊技球の落下に抗する方向（矢印方向）に設定されている。このため、回転ブラシ同士の間を通過する遊技球は、落下に準ずる方向の設定に比して、回転ブラシ間を落下するのに時間を要して、回転ブラシに接触する時間が長くなり、塵埃、汚れ、手垢等の除去残りが少なく、清浄になる。
【００４９】
以上のように構成される第１実施形態の球清掃装置５１は、ユニット化されて、既成のパチンコ機１における球タンク２１の球排出口２３に対して着脱可能になっているので、既成の球タンク２１の形状を変える必要がなく、簡単に球清掃装置を取り付けることが可能となる。
【００５０】
また、第１実施形態の球清掃装置５１は、球排出口２３に着脱可能であるので、メンテナンスが容易になる。とくに、回転ブラシ５３，５４が汚れた際のメンテナンス時や、回転ブラシ５３，５４に付着した塵埃等を除去する際には好適である。
【００５１】
さらに、球清掃装置５１の回転ブラシ５３，５４は、長期間使用していると、毛７１，７２が摩耗したり、抜けたり、欠損したりして遊技球を確実に清掃できなくなることがあるため、このような場合を考慮して、本実施形態の回転ブラシ５３，５４は、交換できるようになっている。このため、メンテナンスが非常に容易になり、とくに、回転ブラシ５３，５４の汚れや、回転ブラシ５３，５４に付着した塵埃等を除去する作業が容易になる。
【００５２】
また、球清掃装置５１は、遊技球が汚れていて充分な清掃が必要と判断されたときのみ、球排出口２３に装着し、作動させることができるので、パチンコ機１が無駄な電力を消費する必要がなく、パチンコホール側としての経費節減になる。
【００５３】
なお、１対の回転ブラシ５３，５４は、両方とも同方向に回転してもよい。この場合、遊技球は、１対のブラシ間を回転しながら自重により落下することになり、この場合においても、塵埃、汚れ、手垢等が除去されて、清浄になる。また、１対の回転ブラシは、遊技球の落下を助ける方向に回転してもよい。
【００５４】
さらに、本実施の形態では、回転ブラシ５３，５４の材質は樹脂製として示したが、導電性の樹脂や金属製の導電性部材で形成された導電性ブラシを用いてもよい。このようにすると、回転ブラシ５３，５４がアースされ、回転ブラシ５３，５４は、遊技球を清掃しながらその遊技球に帯電されている静電気を除電することが可能となる。遊技球の静電気を除去することにより、遊技球が循環しながらノイズを発して各制御装置に悪影響を与えてパチンコ機に誤作動を引き起こさせるような問題を防止することができる。
【００５５】
また、支持機構は、回転ブラシ５３，５４にベアリングを装着し、フレーム５２にベアリングを着脱自在に保持する保持部を形成させるような形態でもよい。こうすることによって、ベアリングとともに回転ブラシをフレーム５２から取り外して、回転ブラシを交換することができる。
【００５６】
回転ブラシは、２本である必要がない。３本以上あってもよく、１本であってもよい。回転ブラシが１本であるときには、遊技球は、回転ブラシと、前板６７及び後板６８との間を通過して清掃されるような形態となる。
【００５７】
また、図１０に示すように、回転ブラシ５３，５４が対向するフレーム５２の前板６７及び後板６８とにマット状の清掃部材９１，９２を設けると、回転ブラシ５３，５４と前板６７及び後板６８との間を通過する遊技球Ｂをより一層、清浄にすることができる。
【００５８】
（第２実施形態の球清掃装置）
つづいて、第２実施形態の球清掃装置２５１を、図１１乃至図１３を参照しながら説明する。ここで、図１１は、第２実施形態の球清掃装置をパチンコ機の球タンクの球排出口に装備した状態の断面図である。図１２は、第２実施形態の球清掃装置のフレームの分解斜視図である。図１３は、第２実施形態の球清掃装置を球タンクの球排出口に着脱するとき球タンクを前枠から外したときの球タンクと、球清掃装置との平面図である。
【００５９】
第２実施形態の球清掃装置２５１は、第１実施形態の球清掃装置５１とは、球タンク２１に支持させる部分の構成が異なっている。すなわち、第１実施形態の球清掃装置５１は、係合爪５７，５８と抜け止め片５９とによって、球タンク２１に着脱自在に設けられるようになっているが、第２実施形態の球清掃装置２５１は、球タンク２１の底板３２と右側板３３とに重なる重合片２５７と、左側板２４に重なる抜け止め片２５９とで、球タンク２１に着脱自在に設けられるようになっている。このため、フレームの形状が異なっている。これに伴って、回転ブラシ２５３，２５４の交換構造も異なっている。なお、重合片２５７と抜け止め片２５９は、フレーム２５２を球排出口２３に保持する保持手段を構成している。
【００６０】
以下、第１実施形態の球清掃装置５１と異なる部分を主体に説明し、その他の同一部分については同一符号を付してその部分の説明は、省略する。
【００６１】
枠体としてのフレーム２５２の構成を説明する。フレーム２５２は、第１フレーム２５２ａと、第２フレーム２５２ｂとで構成されている。
【００６２】
第１フレーム２５２ａは、左側板２６９と、この左側板２６９と一体に上方に延長して形成された抜け止め片２５９、左側板２６９と一体に形成された前板２６７及び後板２６８と、前板２６７及び後板２６８の左右方向の中間部に渡して設けられる下部支持板２７４とで構成されている。なお、第１フレーム２５２ａ全体は、樹脂成型で一体に成型してもよい。
【００６３】
第２フレーム２５２ｂは、前板２６７及び後板２６８の右端部同士を接続する右側板２７０と、前板２６７及び後板２６８の左右方向の中間部に渡して設けられる上部支持板２７３と、上部支持板２７３と一体の重合片２５７とで構成されている。上部支持板２７３及び下部支持板２７４は、回転ブラシ２５３，２５４の回転軸２６１，２６２の中間部を支持するようになっている。
【００６４】
右側板２７０、上部支持板２７３及び下部支持板２７４は、前板２６７及び後板２６８にねじ止めされるようになっている。左側板２６９には、図９に示す第１実施形態の左側板６９と同様に回転軸２６１，２６２の細径部２８４（図１１参照）を支持する支持孔２８５を形成してある。
【００６５】
なお、２本の回転ブラシ２５３，２５４は、同一構造であるので、図１２においては、一方の回転ブラシ２５４の回転軸２８２のみ図示し、他方の回転ブラシ２５３の回転軸２８１は図示省略してある。
【００６６】
上部支持板２７３及び下部支持板２７４には、回転ブラシ２５３，２５４の回転軸２６１，２６２を上下から挟んで支持する半円状の切欠２７３ａ、２７３ｂ及び２７４ａ、２７４ｂを形成してある。切欠２７３ａ、２７３ｂと切欠２７４ａ、２７４ｂは、組み合わされると回転軸２６１，２６２の外周にほぼ一致する円形を形成するようになっている。下部支持板２７４の切欠２７４ａの下方には、モータ５５の出力軸５５ａを支持する支持孔２９４を形成してある。また、回転軸２６１，２６２の上部支持板２７３と下部支持板２７４の左側面に位置する部分の外周に溝２８８を形成してある。この溝２８８には、止めリングであるＥリング２９３が着脱できるようになっている。
【００６７】
なお、上部支持板２７３、下部支持板２７４、支持孔２８５、細径部２８４、Ｅリング２９３等は、着脱支持手段としての支持機構２８１，２８２を構成している。
【００６８】
球清掃装置２５１の組み立て順序を説明する。先ず、下部支持板２７４を前板２６７及び後板２６８にねじ止めする。そして、回転ブラシ２５３，２５４の回転軸２６１，２６２の細径部２８４を支持孔２８５に各々挿入して、中間部を切欠２７４ａ、２７４ｂに支持させる。その後、上部支持板２７４を前板２６７及び後板２６８にねじ止めする。
【００６９】
これによって、回転ブラシ２５３，２５４の回転軸２６１，２６２が半円状の切欠２７３ａ、２７３ｂ及び２７４ａ、２７４ｂによって上下から挟まれて上部支持板２７３及び下部支持板２７４と左側板２６９とに支持されたことになる。そして、溝２８８にＥリング２９３を装着することによって、回転軸２６１，２６２がスラスト方向への移動が規制される。すなわち、細径部２８４の径と回転軸２６２，２６２の径との差による端部段差面と左側板２６９との当接と、Ｅリング２９３と上部支持板２７３及び下部支持板２７４の左側面との当接とによって、回転ブラシ２５３，２５４のスラスト方向への移動が規制される。
【００７０】
その後、前板２６７及び後板２６８の右端にモータ５５を有する右側板２７０をねじ止めする。このとき、モータ５５の出力軸５５ａを支持孔２９４に挿入する。また、歯車列５６も組み込む。
【００７１】
このようにして、組み立てられた球清掃装置２５１は、図１３に示すように前枠５から取り外された球タンク２１の開口した球排出口２３に矢印Ａ方向から挿入されて、重合片２５７を底板３２と右側板３３とに密着され、抜け止め片２５９を左側板２４に密着されて、球タンクに装着される。その後、球タンク２１を前枠５にねじ止めすることによって、球清掃装置２５１は、球タンク２１と一体に前板５に支持される。そして、球排出口２３に回転ブラシ５３，５４が位置する。
【００７２】
回転ブラシ２５３，２５４の回転方向は、第１実施形態の球清掃装置５１の回転ブラシ５３，５４と同様であるので、本実施形態の球清掃装置２５１の動作説明は省略する。
【００７３】
長期間の使用によって、回転ブラシの毛２７１，２７２に摩耗、損傷等が生じて回転ブラシ２５３，２５４を交換するときには、球清掃装置２５１を球タンク２２１から取り外して、上部支持板２７３を前板２６７と後板２６８から取り外し、回転ブラシ２５３，２５４の回転軸２６１，２６２の上部を開放すると、回転ブラシ２５３，２５４を下部支持板２７４と左側板２６９から容易に取り外して交換することができる。
【００７４】
なお、回転ブラシ２５３，２５４を導電性ブラシにしてもよいこと、ベアリングでフレーム２５２に支持させてもよいことは、第１実施形態の回転ブラシ５３，５４と同様である。
【００７５】
以上のように構成される第２実施形態の球清掃装置２５１も、第１実施形態の球清掃装置５１と同様に、ユニット化されて、既成のパチンコ機１における球タンク２１の球排出口２３に対して着脱可能になっているので、既成の球タンク２１の形状を変える必要がなく、必要に応じて、かつ簡単に着脱することができる。
【００７６】
また、本実施形態の球清掃装置２５１は、抜け止め片２５９が球タンクの左側板２４に密着し、重合片２５７が球タンクの底板３２と右側板３３に密着するので、球タンク２１に確実に装着されて、遊技球の流れによって位置がずれることなく、確実に遊技球を清浄にすることができる。その他、第１実施形態の球清掃装置５１と同様な効果を奏するようになっている。
【００７７】
なお、重合片２５７は、底板３２のみに重なる形状にして、右側板３３に必ずしも重なる形状にしなくてもよい。
【００７８】
（第３実施形態の球清掃装置）
最後に、第３実施形態の球清掃装置３５１を、図１４乃至図１６を参照しながら説明する。ここで、図１４は、第３実施形態の球清掃装置をパチンコ機の球タンクの球排出口に装備した状態の断面図である。図１５は、第３実施形態の球清掃装置を球タンクの球排出口に着脱するときの動作説明用の断面図である。図１６は、第３実施形態の球清掃装置のフレームの分解斜視図である。
【００７９】
第３形態の球清掃装置３５１は、着脱可能に球タンクの形状を変更したパチンコ機に装着できるようになっているとともに、一部分が球タンクの底板の一部を構成してモータ５５を保護するようになっている。
【００８０】
以下、第１実施形態の球清掃装置５１と異なる部分を主体に説明し、その他の同一部分については同一符号を付してその部分の説明は、省略する。
【００８１】
枠体としてのフレーム３５２の構成を説明する。フレーム３５２は、第１フレーム３５２ａと、第２フレーム２５２ｂとで構成されている。
【００８２】
第１フレーム３５２ａは、左側板３６９と、この左側板３６９と一体の前板３６７及び後板３６８と、前板３６７及び後板３６８の中間部に渡して設けられる下部支持板３７４とで構成されている。なお、第１フレーム３５２ａ全体は、樹脂成型で一体に成型してもよい。
【００８３】
第２フレーム３５２ｂは、天板３５７と、この天板３５７の一端に形成されて前板３６７及び後板３６８の中間部に渡して設けられる上部支持板３７３と、天板３５７の他端に形成されて前板３６７及び後板３６８の右端部同士を接続する右側板３７０とで構成されている。なお、第１フレーム３５２ｂ全体も、樹脂成型で一体に成型してもよい。
【００８４】
上部支持板３７３及び下部支持板３７４は回転ブラシ３５３，３５４の回転軸３６１，３６２の中間部を支持するようになっている。右側板３７０及び下部支持板３７４は、前板３６７及び後板３６８にねじ止めされるようになっている。左側板３６９には、図９に示す第１実施形態の左側板６９と同様に回転軸３６１，３６２の細径部３８４（図１４参照）を支持する支持孔３８５を形成してある。
【００８５】
上部支持板３７３及び下部支持板３７４には、回転ブラシ３５３，３５４の回転軸３６１，３６２を上下から挟んで支持する半円状の切欠３７３ａ、３７３ｂ及び３７４ａ、３７４ｂを形成してある。切欠３７３ａ、３７３ｂと切欠３７４ａ、３７４ｂは、組み合わされると回転軸３６１，３６２の外周にほぼ一致する円形を形成するようになっている。下部支持板３７４の切欠３７４ａの下方には、モータ５５の出力軸５５ａを支持する支持孔３９４を形成してある。また、回転軸３６１，３６２の上部支持板３７３と下部支持板３７４の左側面に位置する部分の外周に溝３８８を形成してある。この溝３８８には、止めリングであるＥリング３９３が着脱できるようになっている。
【００８６】
なお、上部支持板３７３、下部支持板３７４、支持孔３８５、細径部３８４、Ｅリング３９３等は、着脱支持手段としての支持機構３８１，３８２を構成している。
【００８７】
球清掃装置３５１の組み立て順序を説明する。先ず、下部支持板３７４を前板３６７及び後板３６８にねじ止めする。そして、回転ブラシ３５３，３５４の回転軸３６１，３６２の細径部３８４を支持孔３８５に各々挿入して、切欠３７４ａ、３７４ｂに支持させる。その後、モータ５５を有する右側板３７０を前板３６７及び後板３６８にねじ止めする。このとき、上部支持板３７３に形成してある切欠３７３ａ、３７３ｂが回転軸３６１，３６２の上側に接触する。なお、上部支持板３７３も前板３６７と後板３６８とにねじ止めされてもよい。
【００８８】
これによって、回転ブラシ３５３，３５４の回転軸３６１，３６２が半円状の切欠３７３ａ、３７３ｂ及び３７４ａ、３７４ｂによって上下から挟まれて上部支持板３７３及び下部支持板３７４と左側板３６９とに支持されたことになる。そして、溝３８８にＥリング３９３を装着することによって、第２実施形態の回転軸２６２，３６２と同様に回転軸３６１，３６２がスラスト方向への移動が規制される。
【００８９】
なお、モータ５５を有する右側板２７０を前板３６７及び後板３６８にねじ止めしたとき、モータ５５の出力軸５５ａを支持孔３９４に挿入する。また、歯車列５６も組み込む。
【００９０】
一方、図１４、図１５に示すように球タンク３２１には、遊技球清掃装置３５１を受け入れて支持する支持手段としての受け入れ支持部３９８を形成してある。支持部３９８は、底板３９６，３９７を有し、第１実施形態の球排出口２３とほぼ同形状でほぼ同じ大きさの球排出口３２３を形成してある。
【００９１】
組み立てられた球清掃装置２５１は、支持部３９８に挿入装着されて、底板３９６，３９７に支持されると、回転ブラシ３５３，３５４が球排出口３２３に対向するようになっている。なお、一方の底板３９６は、球清掃装置２５２を支持部３９８から取り外したとき、パチンコ球Ｂが底板３９６上を転動しやすくして、パチンコ球Ｂが滞留しないようにするため、球排出口３２３側を低くした傾斜片にしてもよい。他方の底板３９７も長さが長いときには、同様に傾斜片にしてもよい。
【００９２】
回転ブラシ３５３，３５４の回転方向は、第１実施形態の球清掃装置５１の回転ブラシ５３，５４と同様であるので、本実施形態の球清掃装置３５１の動作説明は省略する。球清掃装置３５１の動作中、パチンコ球Ｂは、天板３５７の傾斜が、球タンク３２１の底板３９５の傾斜とほぼ同一であり、天板３５７が、いわば底板３９５の一部分を形成しているので、底板３９５と天板３５７とを円滑に転動して、停滞することなく球排出口３２３から排出される。このとき、モータ５５及び歯車列５６は、天板３５７の下方に配設されているので、天板３５７によってパチンコ球から保護されて損傷を受けるようなことがない。
【００９３】
長期間の使用によって、回転ブラシの毛３７１，３７２に摩耗、損傷等が生じて回転ブラシ３５３，３５４を交換するときには、球清掃装置３５１を球タンク３２１から取り外して、上部支持板３７３を前板３６７と後板３６８から取り外し、回転ブラシ３５３，３５４の回転軸３６１，３６２の上部を開放すると、回転ブラシ３５３，３５４を下部支持板３７４と左側板３６９から容易に取り外して交換することができる。
【００９４】
なお、回転ブラシ３５３，３５４を導電性ブラシにしてもよいこと、ベアリングでフレーム３５２に支持させてもよいことは、第１実施形態の回転ブラシ５３，５４と同様である。
【００９５】
以上のように構成される第３実施形態の球清掃装置３５１も、第１実施形態の球清掃装置５１と同様に、ユニット化されて、パチンコ機の球タンク３２１の球排出口３２３に対して着脱可能になっているので、球タンク３２１に対して、必要に応じて、かつ簡単に着脱することができる。
【００９６】
また、本実施形態の球清掃装置３５１は、支持部３９８にはめ込まれて球タンク２１に確実に装着されるので、遊技球の流れによって位置がずれることなく、確実に遊技球を清浄にすることができる。
【００９７】
さらに、本実施形態の球清掃装置３５１は、天板３５７の傾斜を、球タンク３２１の底板３９５の傾斜とほぼ同一にしてあるので、パチンコ球Ｂを、円滑に転動させて停滞させることなく球排出口３２３から排出することができる。
【００９８】
また、本実施形態の球清掃装置３５１は、天板３５７の下方に、モータ５５及び歯車列５６を配設してあるので、天板３５７によって、モータ５５及び歯車列５６をパチンコ球から保護して、モータ５５及び歯車列５６の損傷を防止することができる。その他、第１実施形態の球清掃装置５１と同様な効果を奏するようになっている。
【図面の簡単な説明】
【００９９】
【図１】本発明の実施形態の遊技機としてのパチンコ機全体の概略正面図である。
【図２】図１に示すパチンコ機の背面図である。
【図３】図２に示すパチンコ機の平面図である。
【図４】第１実施形態の遊技球清掃装置をパチンコ機の遊技球皿の遊技球排出口に装備した状態の図である。
【図５】第１実施形態の遊技球清掃装置を遊技球皿の遊技球排出口に着脱するときの動作説明用の図である。
【図６】第１実施形態の遊技球清掃装置の図である。（ａ）は概略平面図である。（ｂ）は爪の斜視図である。
【図７】１対の回転ブラシが遊技球を清掃している状態の図である。
【図８】回転ブラシを回転させる歯車列と、回転ブラシを枠体としてのフレームに対して着脱可能にする着脱支持手段である支持機構とを示す概略側面図である。
【図９】支持機構の概略斜視図である。
【図１０】第１実施形態の遊技球清掃装置において、他の形態の図である。
【図１１】第２実施形態の球清掃装置をパチンコ機の球タンクの球排出口に装備した状態の断面図である。
【図１２】第２実施形態の球清掃装置のフレームの分解斜視図である。
【図１３】第２実施形態の球清掃装置を球タンクの球排出口に着脱するとき、球タンクを前枠から外したときの球タンクの平面図である。
【図１４】第３実施形態の球清掃装置をパチンコ機の球タンクの球排出口に装備した状態の断面図である。
【図１５】第３実施形態の球清掃装置を球タンクの球排出口に着脱するときの動作説明用の断面図である。
【図１６】第３実施形態の球清掃装置のフレームの分解斜視図である。
【符号の説明】
【０１００】
Ｂ      パチンコ球（遊技球）
１      パチンコ機（遊技機）
２１      球タンク
２３      球排出口
５１      第１実施形態の球清掃装置
５２      フレーム（枠体）
５３      回転ブラシ
５４      回転ブラシ
５５      モータ（駆動手段）
５７      係合爪（保持手段）
５８      係合爪（保持手段）
５９      抜け止め片（保持手段）
８１      支持機構（着脱支持手段）
８２      支持機構（着脱支持手段）
２２１      球タンク
２５１      第２実施形態の球清掃装置
２５２      フレーム（枠体）
２５３      回転ブラシ
２５４      回転ブラシ
２５７      重合片（保持手段）
２５９      抜け止め片（保持手段）
２８１      支持機構（着脱支持手段）
２８２      支持機構（着脱支持手段）
３２１      球タンク
３２３      球排出口
３５１      第３実施形態の球清掃装置
３５２      フレーム（枠体）
３５３      回転ブラシ
３５４      回転ブラシ
３５７      天板
３８１      支持機構（着脱支持手段）
３８２      支持機構（着脱支持手段）
３９８      支持部（支持手段）
【図１】
2005304848.tif 000003
【図２】
2005304848.tif 000004
【図３】
2005304848.tif 000005
【図４】
2005304848.tif 000006
【図５】
2005304848.tif 000007
【図６】
2005304848.tif 000008
【図７】
2005304848.tif 000009
【図８】
2005304848.tif 000010
【図９】
2005304848.tif 000011
【図１０】
2005304848.tif 000012
【図１１】
2005304848.tif 000013
【図１２】
2005304848.tif 000014
【図１３】
2005304848.tif 000015
【図１４】
2005304848.tif 000016
【図１５】
2005304848.tif 000017
【図１６】
2005304848.tif 000018